(57)【要約】【課題】  ガラリ部の掃除が極めて簡単に行えるガラリ付き戸の提供。【解決手段】  戸本体１と、戸本体１に組み込んだガラリユニット２とを備え、戸本体１は、ガラリ取付枠部３を有し、ガラリユニット２は、四周枠組みした枠体４と、枠体４の左右竪枠７ａ，７ｂ間に軸支したガラリ羽根８とを有し、枠体の上下の横枠５，６とガラリ羽根８とで戸の表裏に連通する通気路９ａ，９ｂを形成してあり、ガラリ羽根８を回動することで通気路９ａ，９ｂを閉鎖できるものであり、ガラリユニット２全体を戸本体のガラリ取付枠部３に着脱自在であり、ガラリユニット２を取外した状態でガラリ羽根８が枠体４から突き出すように回動自在である。【選択図】      図１
2010189852.tif 000002
【特許請求の範囲】
【請求項１】
戸本体と、戸本体に組み込んだガラリユニットとを備え、戸本体は、ガラリ取付枠部を有し、ガラリユニットは、四周枠組みした枠体と、枠体の左右竪枠間に軸支したガラリ羽根とを有し、枠体の上下の横枠とガラリ羽根とで戸の表裏に連通する通気路を形成してあり、ガラリ羽根を回動することで通気路を閉鎖できるものであり、ガラリユニット全体を戸本体のガラリ取付枠部に着脱自在であり、ガラリユニットを取外した状態でガラリ羽根が枠体から突き出すように回動自在であることを特徴とするガラリ付き戸。
【請求項２】
ガラリユニットを戸本体のガラリ取付枠部に上けんどん式に着脱自在としたことを特徴とする請求項１記載のガラリ付き戸。
【請求項３】
戸本体のガラリ取付枠部は、ガラリユニットの外周部に戸の表側又は裏側の一方側から重なる突片を有することを特徴とする請求項１又は２記載のガラリ付き戸。
【発明の詳細な説明】
【技術分野】
【０００１】
本発明は、浴室戸等に用いられるガラリ付き戸に関する。
【背景技術】
【０００２】
浴室戸等の戸においては、換気のために戸の下部にガラリを設けている。そうしたガラリは、通常は戸の下框に一体的に組み込んだものとなっており、浴室側に垂下片を有する上側下框構成材と、脱衣室側に立ち上げ片を有する下側下框構成材と、これらの間に配置されたクランク状のガラリ羽根とで構成され、ガラリ羽根及び垂下片や立ち上げ片の裏側を掃除するのが困難であった。
【０００３】
特許文献１には、ガラリ羽根を上端部で左右の竪框間に軸支し、ガラリ羽根を上端部の軸を支点として回動可能としたものが記載されている。しかし、そのようにガラリ羽根を回動させても、浴室側から掃除する場合には、立ち上げ片の裏側（浴室側面）は掃除できるが、垂下片の裏側（脱衣室側面）の掃除はしづらく、そこを掃除するために脱衣室側に回って掃除しなければならず、掃除に時間がかかる。また、ガラリは戸の下部に設置してあるため、腰をかがめた体勢で掃除をしなければならず、掃除が容易に行えない。
特許文献２には、ガラリ羽根を中間部で竪框間に軸支し、ガラリ羽根を中間部の軸を支点に回動することで通気路を開閉でき、且つガラリ羽根を取外せるようにしたものが記載されている。そのようにガラリ羽根だけを取外しても、特許文献１のものの場合と同じように、下框の垂下片と立ち上げ片の裏側を掃除するためには戸の両側から掃除しなければならず、しかも腰をかがめた状態で掃除しなければならない。
【先行技術文献】
【特許文献】
【０００４】
【特許文献１】特許第４０１７５６９号公報
【特許文献２】特開２００８−３１７３０号公報
【発明の概要】
【発明が解決しようとする課題】
【０００５】
本発明は以上に述べた実情に鑑み、ガラリ部の掃除が極めて簡単に行えるガラリ付き戸の提供を目的とする。
【課題を解決するための手段】
【０００６】
上記の課題を達成するために請求項１記載の発明によるガラリ付き戸は、戸本体と、戸本体に組み込んだガラリユニットとを備え、戸本体は、ガラリ取付枠部を有し、ガラリユニットは、四周枠組みした枠体と、枠体の左右竪枠間に軸支したガラリ羽根とを有し、枠体の上下の横枠とガラリ羽根とで戸の表裏に連通する通気路を形成してあり、ガラリ羽根を回動することで通気路を閉鎖できるものであり、ガラリユニット全体を戸本体のガラリ取付枠部に着脱自在であり、ガラリユニットを取外した状態でガラリ羽根が枠体から突き出すように回動自在であることを特徴とする。
【０００７】
請求項２記載の発明によるガラリ付き戸は、請求項１記載の発明の構成に加え、ガラリユニットを戸本体のガラリ取付枠部に上けんどん式に着脱自在としたことを特徴とする。
【０００８】
請求項３記載の発明によるガラリ付き戸は、請求項１又は２記載の発明の構成に加え、戸本体のガラリ取付枠部は、ガラリユニットの外周部に戸の表側又は裏側の一方側から重なる突片を有することを特徴とする。
【発明の効果】
【０００９】
請求項１記載の発明によるガラリ付き戸は、ガラリユニット全体を戸本体から取外すことができ、しかも取外した状態でガラリ羽根が枠体から突き出すように回動自在であるため、ガラリユニット全体を隅々まで容易に掃除でき、腰を屈めた状態で作業する必要もないので、ガラリ部の掃除が極めて容易に行える。
【００１０】
請求項２記載の発明によるガラリ付き戸は、ガラリユニットを戸本体のガラリ取付枠部に上けんどん式に着脱自在としたことで、ガラリユニットの着脱を容易に行えると共に、ガラリ取付枠部の底部に水やゴミ等が溜まるのを防止できる。
【００１１】
請求項３記載の発明によるガラリ付き戸は、戸本体のガラリ取付枠部に、ガラリユニットの外周部に戸の表側又は裏側の一方側から重なる突片を有することで、ガラリユニットの周囲からの水の浸入を突片により防止できる。
【図面の簡単な説明】
【００１２】
【図１】ガラリユニットの着脱方法を示す縦断面図である。
【図２】ガラリユニットの着脱方法を示す斜視図である。
【図３】（ａ）はガラリユニットの浴室側正面図であり、（ｂ）は（ａ）のＡ−Ａ断面図である。
【図４】ガラリユニットを戸本体から取外し、ガラリ羽根を枠体から突き出すように回動させた状態を示す縦断面図である。
【図５】浴室戸の浴室側正面図である。
【図６】図５のＢ−Ｂ断面図であって、ガラリユニットの通気路を開いた状態を示している。
【図７】図５のＢ−Ｂ断面図であって、ガラリユニットの通気路を閉じた状態を示している。
【発明を実施するための形態】
【００１３】
以下、本発明の実施の形態を図面に基づいて説明する。図１〜７は、本発明のガラリ付き戸の一実施形態であって、浴室の出入口に設けられる浴室戸とした場合の実施形態を示している。本浴室戸は、図５に示すように、ドア枠１１に戸本体１がピボットヒンジ１２ａ，１２ｂにより支持され、浴室側に回動して開くようになっている。戸本体１の下部にはガラリユニット２が組み込んであり、ガラリユニット２は着脱自在となっている。なお、図１等において浴室側を表側、脱衣室側を裏側と表記しているが、これは便宜上記載したもので、特にどちら側が表ということはない。
【００１４】
戸本体１は、上框１３と下框１４と吊元框１５と戸先框１６とを框組みして周囲の枠が形成され、吊元框１５と戸先框１６間の下部に横桟１７を架設してあり、上框１３と横桟１７と吊元框１５と戸先框１６とで囲まれる開口部に樹脂パネル１８が嵌め込んであり、図２に示すように、横桟１７と下框１４と吊元框１５と戸先框１６とで囲まれる開口部をガラリ取付枠部３とし、当該ガラリ取付枠部３にガラリユニット２を浴室側から上けんどん式に着脱自在に取り付けている。戸先框１６には、開閉操作用のハンドル１９が設けてある。
ガラリユニット２は、図３に示すように、上枠５と下枠６と左右の竪枠７ａ，７ｂとを四周枠組みした枠体４と、枠体４の左右の竪枠７ａ，７ｂ間に軸支したガラリ羽根８とを備えている。
【００１５】
戸本体１の横桟１７は、図６に示すように、下面にガラリユニット２の上枠５上部が嵌合する嵌合溝２０が形成してあり、脱衣室側には下方に突出する突片１０ａを有し、突片１０ａがガラリユニット２の上枠５の脱衣室側面を被っている。下框１４は、脱衣室側に上方に突出する突片１０ｂを有し、突片１０ｂがガラリユニット２の下枠６の脱衣室側面を被っている。吊元框１５と戸先框１６は、図２と図６に示すように、脱衣室側に内周側に突出する突片１０ｃを有し、突片１０ｃがガラリユニット２の竪枠７ａ，７ｂの脱衣室側面を被っている。吊元框１５と戸先框１６の突片１０ｃは、上下の端縁が横桟１７の突片１０ａの下縁と下框１４の突片１０ｂの上縁にそれぞれ当接している。また吊元框１５と戸先框１６の内周側面には、後述するガラリユニット２のロック爪２１ｂが係止する係止凹部２２が設けてある。
【００１６】
ガラリユニット２の上枠５は、図３，６に示すように、略矩形中空状の本体部５ａと、本体部５ａの浴室側から下方に垂下する垂下片５ｂを有している。下枠６は、略矩形中空状の本体部６ａと、本体部６ａの脱衣室側から立ち上がる立ち上がり片６ｂを有している。本体部６ａの上面６ｃは、浴室側に向かって下り勾配で傾斜している。上枠５と下枠６は、アルミニウム合金の押出形材で形成されている。下枠６下部の左右両端部には、ロック部材２１が左右方向にスライド可能に設けてある。ロック部材２１は、浴室側面に設けた操作部２１ａと、外側面に突出したロック爪２１ｂとを有し、ロック爪２１ｂを吊元框１５と戸先框１６の係止凹部２２に係止することで、ガラリユニット２がガラリ取付枠部３から離脱不能にロックされる。
ガラリ羽根８は、上下中間に位置する傾斜片８ａと、傾斜片８ａの脱衣室側端から立ち上がる立ち上がり片８ｂと、傾斜片８ａの浴室側端から垂下する垂下片８ｃとが、アルミニウム合金の押出形材で一体に形成されている。ガラリ羽根８の左右両端部には、樹脂製のキャップ２３が取付けてある。キャップ２３は、上下方向の中心部に軸２４が外側に向けて突設してあり、軸２４が竪枠７ａ，７ｂに形成した穴２５に係合している。ガラリ羽根８の浴室側面には、ガラリ羽根８の開閉操作の仕方を示すラベル２６が貼ってある。
図６に示すように、上枠５とガラリ羽根８との間、下枠６とガラリ羽根８との間には、浴室側と脱衣室側に連通する通気路９ａ，９ｂが形成されており、通気路９ａ，９ｂは浴室側から脱衣室側にかけて上り勾配で且つクランク状に曲がった形になっており、視線や脱衣室側への水の浸入を遮断しつつ、浴室内に湿気がこもるのを防止できるようになっている。
【００１７】
ガラリ羽根８の垂下片８ｃの浴室側面の、ラベル２６の「押す／しまる」と表示された部分２６ａを指で押すと、図７に示すように、ガラリ羽根８が軸２４を支点として反時計回りに回動し、立ち上がり片８ｂの上端部が上枠５の垂下片５ｂに、垂下片８ｃの下端部が下枠６の立ち上がり片６ｂにそれぞれ当接して、通気路９ａ，９ｂを閉鎖できる。反対に通気路９ａ，９ｂを開ける際には、ガラリ羽根８の立ち上がり片８ｂの浴室側面の、ラベル２６の「押す／あく」と表示された部分２６ｂを指で押すことで開けることができる。このとき、図６に示すように、立ち上がり片８ｂの左右端部が吊元框１５と戸先框１６の突片１０ｃに当接することで、それ以上の時計回りの回動が規制される。
【００１８】
ガラリユニット２の竪枠７ａ，７ｂは、樹脂で形成されており、上下方向の中間部にガラリ羽根８の軸２４が係合する穴２５が形成してあり、内側面の上部にガラリ羽根係止部２７が設けてある。ガラリ羽根係止部２７は、下向きに開口したコ字状に形成してあり、図６に示すように、脱衣室側の突起２７ａに立ち上がり片８ｂの上端部を係止することで、通気路９ａ，９ｂを開放した状態でガラリ羽根８を保持でき、図７に示すように、浴室側の突起２７ｂに立ち上がり片８ｂの上端部を係止することで、通気路９ａ，９ｂを閉鎖した状態でガラリ羽根８を保持できる。
【００１９】
ガラリユニット２を戸本体１から取外すときには、左右のロック部材２１をそれぞれ内側にスライドさせてロック爪２１ｂを吊元框１５と戸先框１６の係止凹部２２から抜いた上で、図１に示すように、上側を支点として浴室側に回動させるようにして取外す。取外すと、突片１０ｃによる規制がなくなるので、ガラリ羽根８は図４に示すように、時計回りに大きく回動させられ、そのように回動することで立ち上がり片８ｂと垂下片８ｃが枠体４の両側に突出する。このようにすることで、戸本体１に組み込まれたままでは掃除のし難いガラリ羽根８の表裏面、垂下片５ｂの脱衣室側面、立ち上がり片６ｂの浴室側面をはじめ、ガラリユニット２全体を隅々まで容易に掃除することができる。
ガラリユニット２を戸本体１に取付けるときには、図１，２に示すように、上枠５上部を横桟１７下面の嵌合溝２０内に下方より差し入れ、上側を支点に脱衣室側に回動させるようにして下枠６下面を下框１４上面に載せ、その後、左右のロック部材２１を外側にスライドさせてロック爪２１ｂを吊元框１５と戸先框１６の係止凹部２２に係止させる。
【００２０】
以上に述べたように本浴室戸は、ガラリ部を構成する部材をガラリユニット２としてユニット化し、ガラリユニット２を戸本体１のガラリ取付枠部３に着脱自在とし、さらに取外した状態でガラリ羽根８をガラリユニット２の枠体４から突出するように大きく回動させられるようにしたので、ガラリユニット２全体を隅々まで容易に掃除できる。ガラリユニット２の着脱は、浴室側から上けんどん式に容易に行うことができる。そのため、面倒なガラリ部の掃除がおっくうでなくなり、カビ等で汚れやすいガラリ羽根８の周辺を頻繁に掃除し、常に清潔な状態で使用できる。また、ガラリユニット２を戸本体１のガラリ取付枠部３に上けんどん式に着脱自在としたことで、ガラリ取付枠部３の底部に水やゴミ等が溜まるのを防止でき、ガラリ取付枠部３の掃除も容易に行える。さらに、ガラリ取付枠部３に、ガラリユニット２の枠体４の脱衣室側面を被う突片１０ａ，１０ｂ，１０ｃを形成してあるので、ガラリユニット２の周囲から脱衣室側への水の浸入を突片１０ａ，１０ｂ，１０ｃにより阻止できる。
【００２１】
本発明は以上に述べた実施形態に限定されない。本発明のガラリ付き戸は、浴室戸に限らず、通常の部屋の出入口、勝手口、間仕切り、あるいは門扉等のように室外に使用されるものなど、空間を隔てるように設けられるあらゆるものに用いることができる。また、戸の設置状態としては、開き戸、引戸、折戸、ＦＩＸ戸等、いかなる形態であってもよい。ガラリユニットの枠体やガラリ羽根の形状、材質等は、適宜変更することができる。
【符号の説明】
【００２２】
１  戸本体
２  ガラリユニット
３  ガラリ取付枠部
４  枠体
５  上枠（横枠）
６  下枠（横枠）
７ａ，７ｂ  竪枠
８  ガラリ羽根
９ａ，９ｂ  通気路
１０ａ，１０ｂ，１０ｃ  突片
【図１】
2010189852.tif 000003
【図２】
2010189852.tif 000004
【図３】
2010189852.tif 000005
【図４】
2010189852.tif 000006
【図５】
2010189852.tif 000007
【図６】
2010189852.tif 000008
【図７】
2010189852.tif 000009